(57)【要約】【課題】バッテリボックス本体部に取り付けられたバッテリを容易に交換することが可能なカート用バッテリボックスおよびカートを提供する。【解決手段】このカート用バッテリボックス１００ｄは、カート本体部に対して着脱可能に取り付けられるバッテリボックス本体部１と、バッテリボックス本体部１に対して着脱可能に取り付けられる充電可能なバッテリ２と、バッテリボックス本体部１の右側面１２および左側面１３にそれぞれ設けられ、バッテリ１を着脱可能に取り付けるバッテリ取付部３と、バッテリボックス本体部１内に設けられ、バッテリ１からの直流電力を、商用電源の電圧に対応する所定の電圧の交流電力に変換する電力変換部５と、バッテリボックス本体部１の上面１０に設けられ、交流電力をカート本体部１００ｃに配置される機器に供給する電源プラグを接続可能な第１コンセント６１および第２コンセント６２と、を備える。【選択図】図２
2017086325.tif 000002
【特許請求の範囲】
【請求項１】
カート本体部に対して着脱可能に取り付けられるバッテリボックス本体部と、
前記バッテリボックス本体部に対して着脱可能に取り付けられる充電可能なバッテリと、
前記バッテリボックス本体部の外表面に設けられ、前記バッテリを着脱可能に取り付けるためのバッテリ取付部と、
前記バッテリボックス本体部の内部に設けられ、前記バッテリ取付部に取り付けられた前記バッテリからの直流電力を、商用電源の電圧に対応する所定の電圧の交流電力に変換する電力変換部と、
前記バッテリボックス本体部の外表面に設けられ、前記所定の電圧の交流電力を前記カート本体部に配置される機器に供給するための、電源プラグを接続可能なコンセントと、を備える、カート用バッテリボックス。
【請求項２】
前記バッテリ取付部は、前記カート本体部に前記バッテリボックス本体部が取り付けられた状態で、取り付けられた前記バッテリを外側に露出させるように構成されている、請求項１に記載のカート用バッテリボックス。
【請求項３】
前記バッテリ取付部は、前記バッテリボックス本体部の外表面に複数設けられている、請求項１または２に記載のカート用バッテリボックス。
【請求項４】
前記バッテリ取付部は、前記バッテリと電気的に接続される接続端子と、前記バッテリの端子を前記接続端子の位置までガイドするガイド部とを含む、請求項１〜３のいずれか１項に記載のカート用バッテリボックス。
【請求項５】
前記ガイド部は、上方から下方に延びるように形成され、前記バッテリの端子を前記バッテリ取付部の前記接続端子に導くように、前記バッテリを上方から下方にスライド移動させて前記バッテリ取付部に取付可能に構成されている、請求項４に記載のカート用バッテリボックス。
【請求項６】
前記バッテリボックス本体部の外表面に設けられ、前記バッテリ取付部に取り付けられた前記バッテリの残量を表示する残量表示部をさらに備える、請求項１〜５のいずれか１項に記載のカート用バッテリボックス。
【請求項７】
前記コンセントは、前記カート本体部に前記バッテリボックス本体部が取り付けられた状態で、前記バッテリボックス本体部の上面に設けられている、請求項１〜６のいずれか１項に記載のカート用バッテリボックス。
【請求項８】
カート本体部と、
前記カート本体部に取り付けられるカート用バッテリボックスとを備え、
前記カート用バッテリボックスは、
前記カート本体部に対して着脱可能に取り付けられるバッテリボックス本体部と、
前記バッテリボックス本体部に対して着脱可能に取り付けられる充電可能なバッテリと、
前記バッテリボックス本体部の外表面に設けられ、前記バッテリを着脱可能に取り付けるためのバッテリ取付部と、
前記バッテリボックス本体部の内部に設けられ、前記バッテリ取付部に取り付けられた前記バッテリからの直流電力を、商用電源の電圧に対応する所定の電圧の交流電力に変換する電力変換部と、
前記バッテリボックス本体部の外表面に設けられ、前記所定の電圧の交流電力を前記カート本体部に配置される機器に供給するための、電源プラグを接続可能なコンセントと、を含む、カート。
【請求項９】
前記カート本体部は、前記カート本体部の下側に設けられ、前記バッテリボックス本体部が取り外し可能に取り付けられる取付部を含んでいる、請求項８に記載のカート。
【請求項１０】
前記カート本体部は、前記機器を載置可能な天板部と、前記天板部を支持する支柱部と前記バッテリボックス本体部が取り外し可能に取り付けられる取付部とを含み、
前記取付部は、前記支柱部に取り外し可能に取り付けられている、請求項８または９に記載のカート。
【請求項１１】
前記取付部は、前記バッテリボックス本体部を種々の高さ位置に取り付け可能に構成されている、請求項９または１０に記載のカート。
【請求項１２】
前記カート本体部は、前記機器を載置可能な天板部と、前記天板部を支持する支柱部と、前記バッテリボックス本体部が取り付けられる取付部とを含み、
前記取付部は、前記支柱部に設けられ、
前記バッテリボックス本体部は、前記支柱部に挿通された状態で前記取付部に取り付けられるように構成されている、請求項８〜１１のいずれか１項に記載のカート。
【請求項１３】
前記カート本体部は、前記機器を載置可能な天板部と、前記天板部を支持する支柱部と前記バッテリボックス本体部が取り外し可能に取り付けられる取付部とを含み、
前記取付部は、前記支柱部よりも下側に設けられ、前記バッテリボックス本体部が載置される平板部を含む、請求項８または９に記載のカート。
【請求項１４】
前記コンセントは、前記カート本体部に前記バッテリボックス本体部が取り付けられた状態で、前記バッテリボックス本体部の上面に設けられている、請求項８〜１３のいずれか１項に記載のカート。
【発明の詳細な説明】
【技術分野】
【０００１】
この発明は、カート用バッテリボックスおよびカートに関し、特に、バッテリを取り付け可能なカート用バッテリボックスおよびカートに関する。
【背景技術】
【０００２】
従来、バッテリを取り付け可能なカート用バッテリボックスが知られている（たとえば、特許文献１参照）。
【０００３】
上記特許文献１には、カート本体部に一体的に設けられたボックス本体部と、ボックス本体部の内部に収納されたバッテリおよびバッテリを取り付け可能な補助電源本体とを備えたカート用バッテリボックスが開示されている。カート本体部上には、携帯型パソコンを配置可能である。
【先行技術文献】
【特許文献】
【０００４】
【特許文献１】特開２０１２−２１７６８５号公報
【発明の概要】
【発明が解決しようとする課題】
【０００５】
しかしながら、上記特許文献１のカート用バッテリボックスでは、バッテリが箱型の比較的狭いボックス本体部の内部に収納されており、容易にバッテリを交換することができないという問題点がある。
【０００６】
この発明は、上記のような課題を解決するためになされたものであり、この発明の１つの目的は、バッテリボックス本体部に取り付けられたバッテリを容易に交換することが可能なカート用バッテリボックスおよびカートを提供することである。
【課題を解決するための手段】
【０００７】
この発明の第１の局面によるカート用バッテリボックスは、カート本体部に対して着脱可能に取り付けられるバッテリボックス本体部と、バッテリボックス本体部に対して着脱可能に取り付けられる充電可能なバッテリと、バッテリボックス本体部の外表面に設けられ、バッテリを着脱可能に取り付けるためのバッテリ取付部と、バッテリボックス本体部の内部に設けられ、バッテリ取付部に取り付けられたバッテリからの直流電力を、商用電源の電圧に対応する所定の電圧の交流電力に変換する電力変換部と、バッテリボックス本体部の外表面に設けられ、所定の電圧の交流電力をカート本体部に配置される機器に供給するための、電源プラグを接続可能なコンセントと、を備える。なお、商用電源とは、電力会社から消費者に届けられる所定の電圧値の交流電力である。
【０００８】
この発明の第１の局面によるカート用バッテリボックスでは、上記のように、バッテリボックス本体部の外表面に配置され、バッテリを着脱可能に取り付けるためのバッテリ取付部を設ける。これにより、バッテリがバッテリボックス本体部の内部に収納されている場合と異なり、バッテリ取付部に取り付けられたバッテリがバッテリボックス本体部の外側に配置されるので、バッテリ取付部に取り付けられた充電量が少なくなったバッテリを容易に取り外して、充電済みのバッテリと容易に交換することができる。また、バッテリボックス本体部に対して、バッテリ取付部と電力変換部とコンセントとを設ける。これにより、バッテリ取付部と電力変換部とコンセントとを、カートに対して別々に設けた場合と比較して、装置構成を簡素化することができる。また、カート用バッテリボックスがカート本体部に対して着脱可能に構成されるので、機器を使用しない場合などに、バッテリボックス本体部を取り外して、装置を軽量化させることができるとともに、バッテリボックス本体部を他のカートに付け替えることもできる。
【０００９】
さらに、バッテリ取付部に取り付けられたバッテリからの直流電力を商用電源の電圧に対応する所定の電圧の交流電力に変換する電力変換部と、所定の電圧の交流電力を機器に供給するための、電源プラグを接続可能なコンセントとをカート用バッテリボックスに設ける。ここで、医療機器の分野では、一般的に、各種医療機器は、商用電源から電力供給を受けることにより使用可能（推奨される状態で使用可能）となるように設計されている。したがって、上記のようにカート用バッテリボックスを構成し、本発明によるカート用バッテリボックスを医療分野に適用（医療用ナースカートに設置）した場合には、カート用バッテリボックスの電力変換部において、バッテリからの直流電力を商用電源の電圧に対応する所定の電圧の交流電力に変換することができるので、ナースカート上（本体部）に配置された医療機器の電源プラグをコンセントに接続することにより、医療機器の使用時間を延長することができる。なお、医療機器とは、電力の供給を受けて稼動され、人や動物の疾病の診断、治療または予防に使用される機器である。
【００１０】
上記第１の局面によるカート用バッテリボックスにおいて、好ましくは、バッテリ取付部は、カート本体部にバッテリボックス本体部が取り付けられた状態で、取り付けられたバッテリを外側に露出させるように構成されている。このように構成すれば、バッテリを外側に露出させることができるので、バッテリボックス本体部の一部が箱状の収納部の内部などに配置されたとしてもバッテリの交換を外部から容易かつ確実に行うことができる。
【００１１】
上記第１の局面によるカート用バッテリボックスにおいて、好ましくは、バッテリ取付部は、バッテリボックス本体部の外表面に複数設けられている。このように構成すれば、複数のバッテリ取付部から電力変換部への配線をバッテリボックス本体部の内部に配置することができるので装置構成が複雑化するのを抑制することができる。また、複数のバッテリ取付部を互いに電力変換部に対して並列接続した場合には、一部のバッテリの残量がなくなった場合やバッテリ交換時に一部のバッテリを取り外した場合に、電力変換部への電力の供給が途切れることを防止することができる。また、複数のバッテリ取付部を互いに電力変換部に対して並列接続するとともに、バッテリ取付部と電力変換部との通電状態、および、非通電状態を切替可能に構成した場合には、１つまたは複数のバッテリから電力変換部に電力を供給する状態で装置を使用することができる。また、通電状態および非通電状態の切替により、１つのバッテリから電力変換部に電力を供給する場合には、バッテリの交換時に使用中のバッテリを取り外す前に、次に使用するバッテリが取り付けられたバッテリ取付部を通電状態にしておくことにより、一時的に電力変換部への電力の供給が途切れるのを防止することができる。
【００１２】
上記第１の局面によるカート用バッテリボックスにおいて、好ましくは、バッテリ取付部は、バッテリと電気的に接続される接続端子と、バッテリの端子を接続端子の位置までガイドするガイド部とを含む。このように構成すれば、ガイド部により、バッテリと接続端子とが電気的に接続される位置に、バッテリを容易にガイドすることができる。つまり、バッテリ取付部にバッテリを容易に取り付けることができる。その結果、カートに取り付けられたバッテリをより容易に交換することができる。
【００１３】
この場合、好ましくは、ガイド部は、上方から下方に延びるように形成され、バッテリの端子をバッテリ取付部の接続端子に導くように、バッテリを上方から下方にスライド移動させてバッテリ取付部に取付可能に構成されている。このように構成すれば、バッテリが上方から下方にスライド移動されるので、バッテリの自重を利用してバッテリをガイド部に沿って容易にスライド移動させることができる。その結果、バッテリ取付部にバッテリをより容易に取り付けることができ、取り付けられたバッテリを一層容易に交換することができる。また、取り付け状態でバッテリに下方への自重が働くので、バッテリが上方に外れにくいという利点もある。
【００１４】
上記第１の局面によるカート用バッテリボックスにおいて、好ましくは、バッテリボックス本体部の外表面に設けられ、バッテリ取付部に取り付けられたバッテリの残量を表示する残量表示部をさらに備える。このように構成すれば、残量表示部によりユーザが容易にバッテリの残量を把握することができる。
【００１５】
上記第１の局面によるカート用バッテリボックスにおいて、好ましくは、コンセントは、カート本体部にバッテリボックス本体部が取り付けられた状態で、バッテリボックス本体部の上面に設けられている。このように構成すれば、ユーザから視認しやすい上面にコンセントが設けられるので、コンセントに対するプラグの抜き差しを容易に行うことができる。
【００１６】
この発明の第２の局面によるカートは、カート本体部と、カート本体部に取り付けられるカート用バッテリボックスとを備え、カート用バッテリボックスは、カート本体部に対して着脱可能に取り付けられるバッテリボックス本体部と、バッテリボックス本体部に対して着脱可能に取り付けられる充電可能なバッテリと、バッテリボックス本体部の外表面に設けられ、バッテリを着脱可能に取り付けるためのバッテリ取付部と、バッテリボックス本体部の内部に設けられ、バッテリ取付部に取り付けられたバッテリからの直流電力を、商用電源の電圧に対応する所定の電圧の交流電力に変換する電力変換部と、バッテリボックス本体部の外表面に設けられ、所定の電圧の交流電力をカート本体部に配置される機器に供給するための、電源プラグを接続可能なコンセントと、を含む。
【００１７】
この発明の第２の局面によるカートでは、上記のように、バッテリボックス本体部の外表面に配置され、バッテリを着脱可能に取り付けるためのバッテリ取付部を設ける。これにより、バッテリがバッテリボックス本体部の内部に収納されている場合と異なり、バッテリ取付部に取り付けられたバッテリがバッテリボックス本体部の外側に配置されるので、バッテリ取付部に取り付けられた充電量が少なくなったバッテリを容易に取り外して、充電済みのバッテリと容易に交換することができる。また、バッテリボックス本体部に対して、バッテリ取付部と電力変換部とコンセントと設ける。これにより、バッテリ取付部と電力変換部とコンセントとを、カートに対して別々に設けた場合と比較して、装置構成を簡素化することができる。また、カート用バッテリボックスがカート本体部に対して着脱可能に構成されるので、機器を使用しない場合などに、バッテリボックス本体部を取り外して、装置を軽量化させることができるとともに、バッテリボックス本体部を他のカートに付け替えることができる。
【００１８】
さらに、バッテリ取付部に取り付けられたバッテリからの直流電力を商用電源の電圧に対応する所定の電圧の交流電力に変換する電力変換部と、所定の電圧の交流電力を機器に供給するための、電源プラグを接続可能なコンセントとをカート用バッテリボックスに設ける。ここで、医療機器の分野では、一般的に、各種医療機器は、商用電源から電力供給を受けることにより使用可能（推奨される状態で使用可能）となるように設計されている。したがって、上記のようにカートを構成し、本発明によるカートを医療分野に適用（医療用ナースカートに設置）した場合には、カート用バッテリボックスの電力変換部において、バッテリからの直流電力を商用電源の電圧に対応する所定の電圧の交流電力に変換することができるので、ナースカート上（本体部）に配置された医療機器の電源プラグをコンセントに接続することにより、医療機器の使用時間を延長することができる。
【００１９】
上記第２の局面によるカートにおいて、好ましくは、カート本体部は、カート本体部の下側に設けられ、バッテリボックス本体部が取り外し可能に取り付けられる取付部を含んでいる。このように構成すれば、比較的重量が重いカート用バッテリボックスがカートの下側に取り付けられるので、カートの重心を低くすることができる。その結果、カートの操作性を向上させることができる。
【００２０】
上記第２の局面によるカートにおいて、好ましくは、カート本体部は、機器を載置可能な天板部と、天板部を支持する支柱部とバッテリボックス本体部が取り外し可能に取り付けられる取付部とを含み、取付部は、支柱部に取り外し可能に取り付けられている。このように構成すれば、天板部を支持する支柱部にバッテリボックス本体部が取り付けられるので、天板部の下側のスペースを有効に活用することができる。その結果、取り付けられたバッテリボックス本体部がカートの操作の妨げになるのを抑制することができる。
【００２１】
上記カート本体部がカート本体部の下側に設けられる構成において、好ましくは、取付部は、バッテリボックス本体部を種々の高さ位置に取り付け可能に構成されている。このように構成すれば、バッテリボックス本体部の高さ位置を変えることができるので、ユーザに合わせてバッテリを交換しやすいようにバッテリボックス本体部の高さ位置を調整することができる。
【００２２】
上記第２の局面によるカートにおいて、好ましくは、カート本体部は、機器を載置可能な天板部と、天板部を支持する支柱部と、バッテリボックス本体部が取り付けられる取付部とを含み、取付部は、支柱部に設けられ、バッテリボックス本体部は、支柱部に挿通された状態で取付部に取り付けられるように構成されている。このように構成すれば、バッテリボックス本体部の取付部が支柱部に挿通されるので、バッテリボックス本体部が支柱部の一部の側面にのみ取り付けられる場合と比較して、より安定した状態でバッテリボックス本体部をカート本体部に取り付けることができる。
【００２３】
上記第２の局面によるカートにおいて、好ましくは、カート本体部は、機器を載置可能な天板部と、天板部を支持する支柱部とバッテリボックス本体部が取り外し可能に取り付けられる取付部とを含み、取付部は、支柱部よりも下側に設けられ、バッテリボックス本体部が載置される平板部を含む。このように構成すれば、バッテリボックス本体部を平板部に載置するだけでカート本体部に取り付けることができるので、バッテリボックス本体部を容易に取り付けることができる。
【００２４】
上記第２の局面によるカートにおいて、好ましくは、コンセントは、カート本体部にバッテリボックス本体部が取り付けられた状態で、バッテリボックス本体部の上面に設けられている。このように構成すれば、ユーザから視認しやすい上面にコンセントが設けられるので、コンセントに対するプラグの抜き差しを容易に行うことができる。
【発明の効果】
【００２５】
本発明によれば、上記のように、ナースカートに取り付けられたバッテリを容易に交換することが可能なカート用バッテリボックスおよびカートを提供することができる。
【図面の簡単な説明】
【００２６】
【図１】本発明の第１実施形態によるナースカートシステムの全体構成を示したブロック図である。
【図２】本発明の第１実施形態によるナースカートシステムの全体構成を示した斜視図である。
【図３】本発明の第１実施形態によるバッテリを示した斜視図である。
【図４】本発明の第１実施形態によるバッテリ取付部を示した斜視図である。
【図５】本発明の第１実施形態によるカート用バッテリボックスを示した斜視図である。
【図６】カート用バッテリボックスの取付部への取り付けについて説明するための模式的な断面図である。
【図７】本発明の第１実施形態による充電ステーションを示した斜視図である。
【図８】本発明の第２実施形態によるナースカートシステムの全体構成を示したブロック図である。
【図９】本発明の第２実施形態によるナースカートシステムの全体構成を示した斜視図である。
【図１０】本発明の第２実施形態によるカート用バッテリボックスの取り付けについて説明するための図である。
【図１１】本発明の第３実施形態によるナースカートシステムの全体構成を示した斜視図である。
【図１２】本発明の第１実施形態の第１変形例によるナースカートシステムの全体構成を示した斜視図である。
【図１３】本発明の第１実施形態の第２変形例によるカート用バッテリボックスを示した斜視図である。
【発明を実施するための形態】
【００２７】
以下、本発明の実施形態を図面に基づいて説明する。
【００２８】
［第１実施形態］
図１〜図７参照して、本発明の第１実施形態によるナースカートシステム１００の構成について説明する。
【００２９】
ナースカートシステム１００は、図１に示すように、ナースカート１００ａと、ナースカート１００ａから取り外されたバッテリ２の充電を行う充電ステーション１００ｂとを備えている。なお、ナースカート１００ａは、特許請求の範囲の「カート」の一例である。
【００３０】
（ナースカートの構成）
図２に示すナースカート１００ａは、病院などにおいて、巡回時に用いられる。また、ナースカート１００ａは、ユーザ（看護師など）により押し運び可能に構成されている。また、ナースカート１００ａは、血圧等測定器ＫおよびノートパソコンＮなどを配置可能に構成されている。なお、血圧等測定器ＫおよびノートパソコンＮは、共に、特許請求の範囲の「機器」の一例である。
【００３１】
血圧等測定器Ｋは、医療機器の一種である。具体的には、血圧等測定器Ｋは、人間の血圧、血中酸素濃度（ＳＰＯ２）、脈拍および体温などを測定可能に構成されている。また、血圧等測定器Ｋは、通信部（図示せず）を含んでおり、所定のサーバー（図示せず）に血圧などの測定結果を送信することが可能に構成されている。なお、医療機器とは、電力の供給を受けて稼動され、人や動物の疾病の診断、治療または予防に使用される機器である。ノートパソコンは、情報機器の一種である。情報機器とは、患者に関する情報へのアクセスなどに使用される機器である。
【００３２】
ここで、以下の説明では、ナースカート１００ａの直進方向を前方（Ｘ１方向）、前方（Ｘ１方向）の逆方向を後方（Ｘ２方向）とする。なお、後方（Ｘ２方向）は、ナースカート１００ａに対して、通常、ナースカート１００ａを操作するユーザが位置する側の方向でもある。また、前後方向（Ｘ方向）および上下方向（Ｚ方向）に交差する方向を左右方向（Ｙ２方向、Ｙ１方向）とする。
【００３３】
ナースカート１００ａは、図１に示すように、カート本体部１００ｃと、カート本体部１００ｃに取り付けられるカート用バッテリボックス１００ｄとを備えている。
【００３４】
（カート用バッテリボックスの構成）
カート用バッテリボックス１００ｄは、図１に示すように、バッテリボックス本体部１（図２参照）と、バッテリ２と、バッテリ取付部３と、配線部４と、電力変換部５と、第１コンセント６１および第２コンセント６２と、残量表示部７とを備えている。なお、第１コンセント６１および第２コンセント６２は、共に、特許請求の範囲の「コンセント」の一例である。
【００３５】
バッテリボックス本体部１は、図２に示すように、水平方向（Ｘ方向およびＹ方向）よりも上下方向（Ｚ方向）に長く延びる（縦長の）箱形状に形成されている。また、バッテリボックス本体部１の内部には、電力変換部５が設けられている。また、カート本体部１００ｃにバッテリボックス本体部１が取り付けられた状態で、バッテリボックス本体部１の上面１０には、第１コンセント６１および第２コンセント６２が設けられている。また、カート本体部１００ｃにバッテリボックス本体部１が取り付けられた状態で、バッテリボックス本体部１の後面１１（Ｘ２方向側の面）には、残量表示部７が設けられている。なお、後面１１は、特許請求の範囲の「外表面」の一例である。
【００３６】
カート本体部１００ｃにバッテリボックス本体部１が取り付けられた状態で、バッテリボックス本体部１の右側面１２および左側面１３には、それぞれ、二対のバッテリ取付部３が合計４つ設けられている。
【００３７】
バッテリボックス本体部１は、フック部材１４を含んでいる。フック部材１４は、カート用バッテリボックス１００ｄのカート本体部１００ｃへの取り付けに用いられる。また、フック部材１４は、バッテリボックス本体部１がカート本体部１００ｃ取り付けられた状態で、バッテリボックス本体部１の前方側（Ｘ１方向側）に配置されている。図５に示すように、フック部材１４は、複数（４つ）のＬ字形状のフック１４ａを有しており、フック１４ａが後述するカート本体部１００ｃの取付部８１ｄに係合するように構成されている。これにより、バッテリボックス本体部１（カート用バッテリボックス１００ｄ）は、カート本体部１００ｃに取り付けられる。詳細については後述する。
【００３８】
ここで、以下では、図３および図４を参照して、右側面１２に設けられたバッテリ取付部３、および、右側面１２側に取り付けられたバッテリ２について主に説明する。このため、図３および図４に示す各方向は、図２に示す右側面１２側に取り付けられたバッテリ２、および、右側面１２に設けられたバッテリ取付部３に対する方向を示している。また、右側面１２および左側面１３は、共に、特許請求の範囲の「外表面」の一例である。
【００３９】
図３に示すバッテリ２は、血圧等測定器ＫおよびノートパソコンＮの電力源としてバッテリボックス本体部１（バッテリ取付部３）に着脱可能に構成されている。また、バッテリ２は、リチウムイオン電池２ａ（図１参照）を含んでいる。また、バッテリ２は、図２に示すように、直方体形状に形成されている。
【００４０】
バッテリ２は、溝部２０と、爪部２１と、爪部操作ボタン２２と、切欠き２３と、端子２４とを含んでいる。
【００４１】
溝部２０は、バッテリ２の前方（Ｘ１方向）および後方（Ｘ２方向）の各側面の左方側（Ｙ２方向側）に一対設けられている（図３では、前方側（Ｘ１方向側）のみを示している）。また、溝部２０は、下方（Ｚ２方向）から上方（Ｚ１）に延びる直線状の溝形状に形成されている。また、溝部２０は、ナースカート１００ａ（図２参照）への取り付け時において、バッテリ取付部３の後述するガイド部３１（図４参照）に嵌まり込むように構成されている。そして、溝部２０がガイド部３１に沿ってスライド移動することにより、バッテリ２は、バッテリ取付部３に沿って上方（Ｚ１方向）から下方（Ｚ２方向）にスライド移動するように構成されている。また、バッテリ２は、バッテリ取付部３に取り付けられた状態で外部に露出する。
【００４２】
爪部２１は、一対の溝部２０の上方端部（Ｚ１方向端部）近傍にそれぞれ設けられている（図３では、前方向側（Ｘ１方向側）のみを示している）。また、一対の爪部２１は、それぞれ、バッテリ２の前後両面（Ｘ方向側の両面）から突出するように構成されている。また、爪部２１は、上側に水平面を有している。また、爪部２１は、ユーザによって爪部操作ボタン２２が押圧されることにより、バッテリ２の内側に引っ込むように構成されている。なお、バッテリ２内には、一対の爪部２１を、それぞれ、外側に付勢するスプリング（図示せず）が内蔵されている。このため、爪部２１は、ユーザによる爪部操作ボタン２２の押圧が解除されることにより、バッテリ２の外側に突出するように構成されている。
【００４３】
バッテリ２の左方向側の面（Ｙ２方向側の面）には、段差部分が設けられている。切欠き２３は、前後方向（Ｘ方向）に並ぶように、この段差部分に一対設けられている。
【００４４】
端子２４は、一対の切欠き２３の内側端面の一部に沿って設けられている。また、端子２４は、リチウムイオン電池２ａからの電力を、バッテリ取付部３に供給可能に構成されている。
【００４５】
バッテリ取付部３は、図２に示すように、バッテリボックス本体部１の右側面１２（左側面１３）に上下方向（Ｚ方向）に並ぶように設けられている。また、バッテリ取付部３は、バッテリ２が上下方向にガイドされて着脱可能に取り付けられるように構成されている。また、バッテリ取付部３は、図４に示すように、右方向（Ｙ１方向）および上方（Ｚ１方向）が開放された箱形状に形成されている。なお、上下方向に並ぶ２つのバッテリ取付部３の間隔は、バッテリ２をバッテリ取付部３から取り外すために必要とされる移動距離よりも大きい。
【００４６】
バッテリ取付部３は、接続端子３０と、ガイド部３１と、外れ防止部３２とを含んでいる。
【００４７】
接続端子３０は、前後方向（Ｘ方向）に並ぶように一対設けられている。また、接続端子３０は、右方向（Ｙ１方向）に突出し、バッテリ２（図３参照）の切欠き２３（図３参照）に対応する板状形状に形成されている。また、接続端子３０は、バッテリ２がバッテリ取付部３に取り付けられた状態で、バッテリ２の端子２４（図３参照）に接触するように、バッテリ２の端子２４に対応する所定位置に設けられている。すなわち、接続端子３０は、バッテリ２がバッテリ取付部３に取り付けられことにより、バッテリ２の端子２４と電気的に接続されるように構成されている。
【００４８】
ガイド部３１は、バッテリ２の端子２４を接続端子３０の位置までガイドすることが可能に構成されている。また、ガイド部３１は、バッテリ取付部３の前後方向（Ｘ方向）の両側面に一対設けられている。また、ガイド部３１は、バッテリ２の溝部２０に対応するように、バッテリ取付部３の前後方向（Ｘ方向）の両側面から内側に突出する凸形状に形成されている。また、ガイド部３１は、上方（Ｚ１方向）から下方（Ｚ２方向）に延びるように形成されている。また、ガイド部３１は、上方からバッテリ２をバッテリ取付部３内に導入可能なように上方（Ｚ１方向）が開放されている。そして、ガイド部３１は、バッテリ２をガイドすることによって、上方（Ｚ１方向）から下方（Ｚ２方向）にスライド移動させて、バッテリ２をバッテリ取付部３に取り付けるように構成されている。
【００４９】
外れ防止部３２は、ガイド部３１の上方端部（Ｚ１方向端部）近傍に孔状に設けられている。また、外れ防止部３２は、バッテリ２がバッテリ取付部３に取り付けられた状態で、バッテリ２の爪部２１（図３参照）が係合するように、バッテリ２の爪部２１に対応する所定位置に設けられている。また、外れ防止部３２は、バッテリ２が取り付けられ、バッテリ２（端子２４）とバッテリ取付部３（接続端子３０）とが電気的に接続された状態で、バッテリ２が外れるのを防止するように構成されている。
【００５０】
詳細には、外れ防止部３２は、バッテリ２の爪部２１がスライド移動して同じ高さ位置まで移動された際に、バッテリ２に内蔵されたスプリング（図示せず）によって爪部２１が外側に押し出されることにより、爪部２１が嵌まり込む（係合する）ように構成されている。その際に、外れ防止部３２の上端は、爪部２１の上側の水平面（上述した三角柱形状のＺ１側の面）と当接するように構成されている。これにより、外れ防止部３２は、バッテリ２の上方（Ｚ１方向）への移動を防止している。なお、バッテリ２の水平方向（Ｘ方向、Ｙ方向）への移動は、ガイド部３１により防止される。
【００５１】
配線部４は、図１に示すように、４つのバッテリ取付部３と電力変換部５とを電気的に接続するように構成されている。また、配線部４は、複数（４つ）の第１配線部４１と、連結部４２と、１つの第２配線部４３と、切替スイッチ４４とを含んでいる。
【００５２】
複数（４つ）の第１配線部４１は、それぞれ、一方端が別々のバッテリ取付部３に接続され、他方端が連結部４２に接続されている。すなわち、複数（４つ）の第１配線部４１は、複数のバッテリ取付部３を電力変換部５に対して並列接続している。なお、図１において、互いに並列に配置され、同一の構成となるバッテリ取付部３、残量表示部７および切替スイッチ４４をまとめて符号Ｈで示し図示を省略している。
【００５３】
連結部４２は、複数（４つ）のヒューズ４２ａと、集約回路４２ｂとを含んでいる。複数（４つ）のヒューズ４２ａは、複数（４つ）の第１配線部４１の途中（位置）に１つずつ配置されている。集約回路４２ｂは、複数（４つ）の第１配線部４１を連結しており、１つのバッテリ２から他のバッテリ２に電流が流れるのを防止している。第２配線部４３は、集約回路４２ｂと電力変換部５とを電気的に接続している。
【００５４】
切替スイッチ４４は、複数（４つ）の第１配線部４１の途中（位置）にそれぞれ設けられている（接続されている）。また、切替スイッチ４４は、バッテリ取付部３から電力変換部５に電力が供給される通電状態、および、バッテリ取付部３から電力変換部５に電力が供給されない非通電状態とを切り替え可能に構成されている。詳細には、切替スイッチ４４は、通電状態（ＯＮ状態）でバッテリ取付部３と電力変換部５とが電気的に接続されている状態、非通電状態（ＯＦＦ状態）でバッテリ取付部３と電力変換部５とが電気的に接続されていない状態にするように構成されている。
【００５５】
電力変換部５は、上記の通り、配線部４およびバッテリ取付部３を介してバッテリ２と電気的に接続されている。また、電力変換部５は、バッテリ２からの直流電力を商用電源Ｐの電圧に対応する所定の電圧の交流電力に変換するように構成されている。たとえば、電力変換部５は、バッテリ２からの直流電力を１００Ｖの交流電力に変換するように構成されている。なお、商用電源Ｐとは、電力会社から消費者に届けられる所定の電圧値の交流電力である。
【００５６】
第１コンセント６１および第２コンセント６２は、それぞれ、配線６１ａおよび６２ａにより、電力変換部５と電気的に接続されている。また、第１コンセント６１および第２コンセント６２には、第１コンセント６１および第２コンセント６２の通電状態（有効）と非通電状態（無効）とを切り替えるコンセント切替スイッチ６３（図２参照）が設けられている。また、第１コンセント６１および第２コンセント６２は、それぞれ、電源プラグを含むアダプターＫａおよびＮａが接続され、各アダプターＫａおよびＮａを介して血圧等測定器ＫおよびノートパソコンＮに１００Ｖの交流電力を供給可能に構成されている。
【００５７】
残量表示部７は、図２に示すように、複数（４つ）のバッテリ取付部３の各々に対応するように複数（４つ）設けられている。また、複数の残量部表示部７は、上下方向（Ｚ方向）に１列に並ぶように配置されている。また、残量表示部７は、バッテリ取付部３に取り付けられたバッテリ２の残量（割合）を表示するように構成されている。たとえば、４つの残量表示部７は、上から順に、左側面１３の上側のバッテリ取付部３、右側面１２の上側のバッテリ取付部３、左側面１３の下側のバッテリ取付部３、および、右側面１２の下側のバッテリ取付部３にそれぞれ取り付けられたバッテリ２の残量を表示するように構成されている。
【００５８】
（カート本体部の構成）
カート本体部１００ｃは、図２に示すように、車輪部８０と、支柱部８１と、トレイ８２と、機器配置部８３とを含んでいる。なお、ナースカート１００ａ全体において、車輪部８０は下方部分を構成し、機器配置部８３は上方部分を構成し、支柱部８１は下方部分と上方部分とを繋ぐ中間部分を構成している。
【００５９】
車輪部８０は、一対の後輪８０ａと、一対の前輪８０ｂと、支持部８０ｃとを有している。
【００６０】
一対の後輪８０ａには、それぞれ、後輪８０ａの回動（ナースカート１００ａの移動）を規制するストッパー８００ａが設けられている。また、支持部８０ｃは、平面視において（Ｚ方向から見て）、Ｈ字形状に形成されている。また、支持部８０ｃの後方（Ｘ２方向）端部には後輪８０ａ、前方（Ｘ１方向）端部には前輪８０ｂが接続されている。また、支持部８０ｃは、下側から支柱部８１を支持している。
【００６１】
支柱部８１は、下側から後述する天板部８３ａを含む機器配置部８３を支持している。また、支柱部８１は、図２に示すように、支柱下部８１ａと、ガスシリンダー８１ｂと、支柱上部８１ｃと、取付部８１ｄとを有している。
【００６２】
支柱下部８１ａは、上下方向（Ｚ方向）に延びるとともに、水平断面（ＸＹ平面による断面）が矩形の筒形状に形成されている。また、支柱下部８１ａは、下方端部が支持部８０ｃに接続（支持）されている。
【００６３】
ガスシリンダー８１ｂは、支柱下部８１ａおよび支柱上部８１ｃの内側に配置されている。したがって、ガスシリンダー８１ｂは、外部からは視認されない。また、ガスシリンダー８１ｂは、下方端部が支持部８０ｃに接続（支持）されている。また、ガスシリンダー８１ｂは、上方端部が機器配置部８３に接続されている。すなわち、ガスシリンダー８１ｂは、機器配置部８３（後述する天板部８３ａを含む機器配置部８３）を支持している。また、ガスシリンダー８１ｂは、伸縮することに伴って、機器配置部８３を昇降させることが可能に構成されている。なお、ガスシリンダー８１ｂによる昇降機構は、一般的な座椅子の昇降機構と同様の機構である。すなわち、ガスシリンダー８１ｂは、内部に圧縮状態でガスが封入されており、所定のレバー（図示せず）操作により封入されたガスを膨張させる（圧縮状態を解除する）ことによって、機器配置部８３を上昇させるように構成されている。
【００６４】
支柱上部８１ｃは、上下方向（Ｚ方向）に延びるとともに、水平断面（ＸＹ平面による断面）が矩形の筒形状に形成されている。また、支柱上部８１ｃは、上方側（Ｚ１方向側）から支柱下部８１ａの内側に嵌め込まれている。また、支柱下部８１ａは、上方端部が機器配置部８３に接続されている。したがって、支柱下部８１ａは、ガスシリンダー８１ｂにより、機器配置部８３とともに上下方向（Ｚ方向）に昇降されるように構成されている。
【００６５】
トレイ８２は、支柱下部８１ａの前方側（Ｘ１方向側）に１つ設けられている。また、トレイ８２は、バッテリ取付部３に略対応する高さ位置に設けられている。
【００６６】
取付部８１ｄは、図６に示すように、カート本体部１００ｃの下側に設けられ、バッテリボックス本体部１（カート用バッテリボックス１００ｄ）が取り外し可能に取り付けられるように構成されている。詳細には、取付部８１ｄは、支柱下部８１ａの後方側（Ｘ２方向側）に設けられ、上下方向に並ぶ複数のフック掛かり部８１ｅを有している。また、複数のフック掛かり部８１ｅは、左右方向（Ｙ方向）に一対（図６では一方のみを図示）設けられている。また、取付部８１ｄは、上下方向に並ぶフック掛かり部８１ｅに対するフック１４ａの位置を変えることにより、バッテリボックス本体部１（カート用バッテリボックス１００ｄ）を種々の高さ位置に取り付け可能に構成されている。
【００６７】
図２に示すように、機器配置部８３は、天板部８３ａと、予備バッテリ収納部８３ｂと、把持部８３ｃとを有している。
【００６８】
天板部８３ａは、水平方向（Ｘ方向およびＹ方向）に延びる矩形の平板形状に形成されている。また、天板部８３ａ（カート本体部１００ｃ）は、上面上に血圧等測定器Ｋ（図２参照）などの医療機器、および、ノートパソコンＮ（図２参照）などの情報機器を配置（載置）可能である。なお、天板部８３ａには、アームＡが設けられており、血圧等測定器Ｋを、アーム部Ａを介して天板部８３ａの上面に配置可能である。
【００６９】
予備バッテリ収納部８３ｂは、天板部８３ａの下面の後方側（Ｘ２方向側）に設けられている。すなわち、予備バッテリ収納部８３ｂは、把持部８３ｃ近傍の、ユーザの手が容易に届く範囲に設けられている。また、予備バッテリ収納部８３ｂは、後方（Ｘ２方向）が開放された箱形状に形成されている。また、予備バッテリ収納部８３ｂは、使用済みとなったバッテリ２、および、交換される予備のバッテリ２などを内部に収納可能なように構成されている。
【００７０】
ユーザに把持される把持部８３ｃは、天板部８３ａの後方端部（Ｘ２方向端部）近傍から、天板部８３ａよりも後方（Ｘ２方向）に延びるとともに、左右方向（Ｙ方向）に延びており、平面視においてＵ字形状に形成されている。なお、把持部８３ｃは、ガスシリンダー８１ｂによる昇降機構により、使用するユーザに合わせて高さ位置を調整可能に構成されている。
【００７１】
（充電ステーションの構成）
図７を参照して、充電ステーション１００ｂの構成について説明する。
【００７２】
充電ステーション１００ｂは、多くのユーザ（看護師など）が常駐する場所（ナースステーションなど）に固定的に設置されている。また、充電ステーション１００ｂは、複数（６つ）の充電器９０を含んでいる。各充電器９０は、共に、１つずつバッテリ２を取り付けることが可能に構成されている。したがって、充電ステーション１００ｂは、バッテリ２を、複数（６つ）取り付けて同時に充電することが可能なように構成されている。また、各充電器９０は、商用電源Ｐから電力の供給を受けるように構成されている。また、各充電器９０は、上下方向（Ｚ方向）に互いに重なるように１列に配置されている。すなわち、充電ステーション１００ｂは、小さなスペースに配置することが可能なように縦型に構成されている。
【００７３】
（カート用バッテリボックスの取り付け）
図６を参照して、フック部材１４による取付部８１ｄへのカート用バッテリボックス１００ｄの取り付けについて説明する。なお、図６は、左右方向（Ｙ方向）に直交するとともに、取付部８１ｄのいずれか一方のフック掛かり部８１ｅ（図２参照）を通る面における模式的な断面を示している。
【００７４】
まず、取付部８１ｄのフック掛かり部８１ｅの後方側（Ｘ２方向側）にフック部材１４のフック１４ａが位置するように、カート本体部１００ｃに対して、カート用バッテリボックス１００ｄを配置する。そして、カート用バッテリボックス１００ｄを前方（Ｘ１方向）に移動させることにより、カート用バッテリボックス１００ｄと、取付部８１ｄとを当接させる。これにより、フック１４ａは、フック掛かり部８１ｅ内に侵入する。さらに、カート用バッテリボックス１００ｄ（フック１４ａ）を下方（Ｚ２方向）に移動させることにより、フック１４ａをフック掛かり部８１ｅに係合させる（引っ掛ける）。これにより、カート用バッテリボックス１００ｄは、取付部８１ｄに取り付けられる。なお、上記操作と逆の操作により、カート用バッテリボックス１００ｄは、取付部８１ｄ（カート本体部１００ｃ）から取り外される。
【００７５】
（第１実施形態の効果）
第１実施形態では、以下のような効果を得ることができる。
【００７６】
第１実施形態では、上記のように、バッテリボックス本体部１の右側面１２および左側面１３に配置され、バッテリ２を着脱可能に取り付けるためのバッテリ取付部３を設ける。これにより、バッテリ２がバッテリボックス本体部１の内部に収納されている場合と異なり、バッテリ取付部３に取り付けられたバッテリ２がバッテリボックス本体部１の外側に配置されるので、バッテリ取付部３に取り付けられた充電量が少なくなったバッテリ２を容易に取り外して、充電済みのバッテリ２と容易に交換することができる。また、バッテリボックス本体部１に対して、バッテリ取付部３と電力変換部５と第１コンセント６１および第２コンセント６２とを設ける。これにより、バッテリ取付部３と電力変換部５と第１コンセント６１および第２コンセント６２とを、ナースカート１００ａに対して別々に設けた場合と比較して、装置構成を簡素化することができる。また、カート用バッテリボックス１００ｄがカート本体部１００ｃに対して着脱可能に構成されるので、機器を使用しない場合などに、バッテリボックス本体部１を取り外して、装置を軽量化させることができるとともに、バッテリボックス本体部１を他のカートに付け替えることもできる。
【００７７】
さらに、バッテリ取付部３に取り付けられたバッテリ２からの直流電力を商用電源の電圧に対応する所定の電圧の交流電力に変換する電力変換部５と、所定の電圧の交流電力を機器に供給するための、電源プラグを接続可能な第１コンセント６１および第２コンセント６２とをカート用バッテリボックス１００ｄに設ける。ここで、医療機器の分野では、一般的に、各種医療機器は、商用電源から電力供給を受けることにより使用可能（推奨される状態で使用可能）となるように設計されている。したがって、上記のようにカート用バッテリボックス１００ｄを構成した場合には、カート用バッテリボックス１００ｄの電力変換部５において、バッテリ２からの直流電力を商用電源の電圧に対応する所定の電圧の交流電力に変換することができるので、ナースカート１００ａ上に配置された医療機器の電源プラグを第１コンセント６１および第２コンセント６２に接続することにより、医療機器の使用時間を延長することができる。なお、医療機器とは、電力の供給を受けて稼動され、人や動物の疾病の診断、治療または予防に使用される機器である。
【００７８】
また、第１実施形態では、上記のように、バッテリ取付部３を、カート本体部１００ｃにバッテリボックス本体部１が取り付けられた状態で、取り付けられたバッテリ２を外側に露出させるように構成する。これにより、バッテリ２を外側に露出させることができるので、バッテリボックス本体部１の一部が箱状の収納部内などに配置されたとしてもバッテリ２の交換を外部から容易かつ確実に行うことができる。
【００７９】
また、第１実施形態では、上記のように、バッテリ取付部３を、バッテリボックス本体部１の外表面に複数設ける。これにより、複数のバッテリ取付部３から電力変換部５への配線をバッテリボックス本体部１の内部に配置することができるので、装置構成が複雑化するのを抑制することができる。また、複数のバッテリ取付部３を互いに電力変換部５に対して並列接続した場合には、一部のバッテリ２の残量がなくなった場合やバッテリ２の交換時に一部のバッテリ２を取り外した場合に、電力変換部５への電力の供給が途切れることを防止することができる。また、複数のバッテリ取付部３を互いに電力変換部５に対して並列接続するとともに、バッテリ取付部３と電力変換部５との通電状態、および、非通電状態を切替スイッチ４４により切替可能に構成することによって、１つまたは複数のバッテリ２から電力変換部４に電力を供給する状態で装置を使用することができる。また、通電状態および非通電状態の切替により、１つのバッテリ２から電力変換部５に電力を供給する場合には、バッテリ２の交換時に使用中のバッテリ２を取り外す前に、次に使用するバッテリ２が取り付けられたバッテリ取付部３を通電状態にしておくことにより、一時的に電力変換部５への電力の供給が途切れるのを防止することができる。
【００８０】
また、第１実施形態では、上記のように、バッテリ取付部３に、バッテリ２と電気的に接続される接続端子３０と、バッテリ２の端子２４を接続端子３０の位置までガイドするガイド部３１とを設ける。これにより、ガイド部３１により、バッテリ２と接続端子３０とが電気的に接続される位置に、バッテリ２を容易にガイドすることができる。つまり、バッテリ取付部３にバッテリ２を容易に取り付けることができる。その結果、ナースカート１００ａに取り付けられたバッテリ２をより容易に交換することができる。
【００８１】
また、第１実施形態では、上記のように、ガイド部３１を、上方から下方に延びるように形成し、バッテリ２の端子２４をバッテリ取付部３の接続端子３０に導くように、バッテリ２を上方から下方にスライド移動させてバッテリ取付部３に取付可能に構成する。これにより、バッテリ２が上方から下方にスライド移動されるので、バッテリ２の自重を利用してバッテリ２をガイド部３１に沿って容易にスライド移動させることができる。その結果、バッテリ取付部３にバッテリ２をより容易に取り付けることができ、取り付けられたバッテリ２を一層容易に交換することができる。また、取り付け状態でバッテリ２に下方への自重が働くので、バッテリ２が上方に外れにくいという利点もある。
【００８２】
また、第１実施形態では、上記のように、バッテリボックス本体部１の後面１１に設けられ、バッテリ取付部３に取り付けられたバッテリ２の残量を表示する残量表示部７を設ける。これにより、残量表示部７によりユーザが容易にバッテリ２の残量を把握することができる。
【００８３】
また、第１実施形態では、上記のように、第１コンセント６１および第２コンセント６２を、カート本体部１００ｃにバッテリボックス本体部１が取り付けられた状態で、バッテリボックス本体部１の上面１１に設ける。これにより、ユーザから視認しやすい上面１１に第１コンセント６１および第２コンセント６２が設けられるので、第１コンセント６１および第２コンセント６２に対するプラグの抜き差しを容易に行うことができる。
【００８４】
また、第１実施形態では、上記のように、カート本体部１００ｃに、カート本体部１００ｃの下側に設けられ、バッテリボックス本体部１が取り外し可能に取り付けられる取付部８１ｄを設ける。これにより、比較的重量が重いカート用バッテリボックス１００ｄがナースカート１００ａの下側に取り付けられるので、ナースカート１００ａの重心を低くすることができる。その結果、ナースカート１００ａの操作性を向上させることができる。
【００８５】
また、第１実施形態では、上記のように、カート本体部１００ｃに、機器を載置可能な天板部８３ａと、天板部８３ａを支持する支柱部８１とバッテリボックス本体部１が取り外し可能に取り付けられる取付部８１ｄとを設け、取付部８１ｄを、支柱部８１に取り外し可能に取り付ける。これにより、天板部８３ａを支持する支柱部８１にバッテリボックス本体部１が取り付けられるので、天板部８３ａの下側のスペースを有効に活用することができる。その結果、取り付けられたバッテリボックス本体部１がナースカート１００ａの操作の妨げになるのを抑制することができる。
【００８６】
また、第１実施形態では、上記のように、取付部８１ｄを、バッテリボックス本体部１を種々の高さ位置に取り付け可能に構成する。これにより、バッテリボックス本体部１の高さ位置を変えることができるので、ユーザに合わせてバッテリ２を交換しやすいようにバッテリボックス本体部１の高さ位置を調整することができる。
【００８７】
［第２実施形態］
次に、図８〜図１０を参照して、本発明の第２実施形態について説明する。この第２実施形態では、支柱部８１の後方側（Ｘ２方向側）にカート用バッテリボックス１００ｄを取り付けた上記第１実施形態とは異なり、カート用バッテリボックス２００ｄが支柱部８１に挿通された状態でカート用バッテリボックス２００ｄを支柱部８１に取り付ける例について説明する。なお、上記第１実施形態と同様の構成は、第１実施形態と同じ符号を付して図示するとともに説明を省略する。
【００８８】
図８に示すように、第２実施形態によるナースカートシステム２００は、ナースカート２００ａと、充電ステーション１００ｂとを備えている。また、ナースカート２００ａは、カート本体部２００ｃと、カート用バッテリボックス２００ｄとを備えている。
【００８９】
図９に示すように、カート用バッテリボックス２００ｄは、バッテリボックス本体部２０１を備えている。
【００９０】
バッテリボックス本体部２０１の後面１１には、２つのバッテリ取付部３が上下方向に並ぶように設けられている。また、バッテリボックス本体部２０１は、図１０に示すように、上下方向（Ｚ方向）に貫通する貫通孔２０１ａを有している。貫通孔２０１ａは、平面視において（Ｚ方向から見て）、矩形状を有している。また、バッテリボックス本体部２０１には、前方側（Ｘ１方向側）に平板形状の蓋部２０１ｂが設けられている。蓋部２０１ｂがバッテリボックス本体部２０１から取り外されると、貫通孔２０１ａは、前方側（Ｘ１方向側）が開放された切欠き形状となる。また、蓋部２０１ｂは、図示しない固定具により、バッテリボックス本体部２０１に対して固定することが可能に構成されている。
【００９１】
支柱下部８１ａの前面には、複数の雌ネジ部２８１ａが設けられている。また、蓋部２０１ｂには、カート本体部２００ｃにバッテリボックス本体部２０１が取り付けられた状態で、雌ネジ部２８１ａに対応する位置にネジＮを通すための孔部２０１ｃが設けられている。したがって、カート用バッテリボックス２００ｄは、ネジＮにより支柱下部８１ａに対して蓋部２０１ｂが締結固定されるとともに、蓋部２０１ｂに対してバッテリボックス本体部２０１が固定されることによって、カート本体部２００ｃに対して取り付けられるように構成されている。これにより、バッテリボックス本体部２０１は、支柱部８１に挿通された状態で、蓋部２０１ｂを介して支柱部８１（雌ネジ部２８１ａ）に取り付けられるように構成されている。なお、雌ネジ部２８１ａは、特許請求の範囲の「取付部」の一例である。
【００９２】
（第２実施形態の効果）
第２実施形態では、以下のような効果を得ることができる。
【００９３】
第２実施形態では、上記第１実施形態と同様、バッテリボックス本体部２０１の後面１１に配置され、バッテリ２を着脱可能に取り付けるためのバッテリ取付部３を設ける。これにより、バッテリ２がバッテリボックス本体部２０１の内部に収納されている場合と異なり、バッテリ取付部３に取り付けられたバッテリ２がバッテリボックス本体部２０１の外側に配置されるので、バッテリ取付部３に取り付けられた充電量が少なくなったバッテリ２を容易に取り外して、充電済みのバッテリ２と容易に交換することができる。
【００９４】
また、第２実施形態では、上記のように、雌ネジ部２８１ａを支柱部８１に設け、バッテリボックス本体部２０１を、支柱部８１の取付部に挿通された状態で雌ネジ部２８１ａに取り付けられるように構成する。これにより、バッテリボックス本体部２０１が支柱部８１に挿通されるので、バッテリボックス本体部２０１が支柱部８１の一部の側面にのみ取り付けられる場合と比較して、より安定した状態でバッテリボックス本体部２０１をカート本体部２００ｃに取り付けることができる。
【００９５】
［第３実施形態］
次に、図８および図１１を参照して、本発明の第３実施形態について説明する。この第３実施形態では、バッテリボックス本体部１を水平方向（Ｘ方向およびＹ方向）よりも上下方向（Ｚ方向）に長く延びる（縦長の）箱形状に形成した上記第１実施形態とは異なり、バッテリボックス本体部３０１を上下方向（Ｚ方向）よりも水平方向（Ｘ方向およびＹ方向）に長く延びる（横長の）箱形状に形成する例について説明する。なお、上記第１実施形態と同様の構成は、第１実施形態と同じ符号を付して図示するとともに説明を省略する。
【００９６】
図８に示すように、第３実施形態によるナースカートシステム３００は、ナースカート３００ａと、充電ステーション１００ｂとを備えている。また、ナースカート３００ａは、カート本体部３００ｃと、カート用バッテリボックス３００ｄとを備えている。
【００９７】
図１１に示すように、カート用バッテリボックス３００ｄは、バッテリボックス本体部３０１を備えている。バッテリボックス本体部３０１は、上下方向（Ｚ方向）よりも水平方向（Ｘ方向およびＹ方向）に長く延びる（横長の）箱形状に形成されている。
【００９８】
カート本体部３００ｃは、支柱部８１よりも下側に設けられ、バッテリボックス本体部３０１が載置される平板部３８０ｄを含んでいる。詳細には、平板部３８０ｄは、水平方向に延びる平板形状に形成されている。また、平板部３８０ｄは、支柱部８１の下端に接続され、カート用バッテリボックス３００ｄ（バッテリボックス本体部３０１）が上面上に載置（設置）されるように構成されている。このように、カート用バッテリボックス３００ｄは、カート本体部３００ｃに対して取り外し可能に取り付けられる。なお、平板部３８０ｄは、特許請求の範囲の「取付部」の一例である。
【００９９】
バッテリボックス本体部３０１の前面１５には、２つのバッテリ取付部３が左右方向（Ｙ方向）に並ぶように設けられている。また、バッテリボックス本体部３０１の後面１１には、第１コンセント６１、第２コンセント６２、コンセント用切替スイッチ６３および２つの残量表示部７が設けられている。なお、前面１５は、特許請求の範囲の「外表面」の一例である。
【０１００】
（第３実施形態の効果）
第３実施形態では、以下のような効果を得ることができる。
【０１０１】
第３実施形態では、上記第１実施形態と同様、バッテリボックス本体部３０１の後面１１に配置され、バッテリ２を着脱可能に取り付けるためのバッテリ取付部３を設ける。これにより、バッテリ２がバッテリボックス本体部３０１の内部に収納されている場合と異なり、バッテリ取付部３に取り付けられたバッテリ２がバッテリボックス本体部３０１の外側に配置されるので、バッテリ取付部３に取り付けられた充電量が少なくなったバッテリ２を容易に取り外して、充電済みのバッテリ２と容易に交換することができる。
【０１０２】
また、第３実施形態では、上記のように、支柱部８１よりも下側に設け、バッテリボックス本体部３０１が載置される平板部３８０ｄを設ける。これにより、バッテリボックス本体部３０１を平板部３８０ｄに載置するだけでカート本体部３００ｃに取り付けることができるので、バッテリボックス本体部３０１を容易に取り付けることができる。
【０１０３】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０４】
たとえば、上記第１〜第３実施形態では、本発明のカートの一例としてナースカートにカート用バッテリボックス取り付けた例を示したが本発明はこれに限らない。本発明では、倉庫作業時に使用するピッキングカートなどのナースカート以内のカートにカート用バッテリボックスを取り付けてもよい。
【０１０５】
また、上記第１〜第３実施形態では、２つまたは４つのバッテリ取付部を設けた例を示したが、本発明はこれに限らない。本発明では、１つ、３つまたは５つ以上のバッテリ取付部を設けてもよい。
【０１０６】
また、上記第１〜第３実施形態では、バッテリ取付部をバッテリボックス本体部の側面に設けた例を示したが、本発明はこれに限らない。本発明では、バッテリ取付部をバッテリボックス本体部の上面または下面に設けてもよい。
【０１０７】
また、上記第１〜第３実施形態では、バッテリボックス本体部をカート本体部の下側に設けた例を示したが、本発明はこれに限らない。本発明では、バッテリボックス本体部をカート本体部の上側に設けてもよい。
【０１０８】
また、上記第１〜第３実施形態では、カートに１つのトレイを設けた例を示したが、本発明はこれに限らない。本発明では、カートに複数のトレイを設けてもよい。また、トレイはなくてもよい。
【０１０９】
また、上記第１〜第３実施形態では、バッテリをバッテリ取付部に上方側からガイド部によってガイドすることにより取り付けた例を示したが、本発明はこれに限らない。本発明では、たとえば、バッテリをバッテリ取付部に横側または下側からガイド部によってガイドすることにより取り付けてもよい。
【０１１０】
また、上記第１〜第３実施形態では、２つのコンセントを設けた例を示したが、本発明はこれに限らない。本発明では、１つまたは３つ以上のコンセントを設けてもよい。
【０１１１】
また、上記第１〜第３実施形態では、バッテリ取付部と同数（２つまたは４つ）のバッテリ残量表示部を設けた例を示したが、本発明はこれに限らない。本発明では、複数のバッテリ取付部に対して１つのバッテリ残量表示部を設けてもよい。なお、この場合には、所定の切替操作によりバッテリ残量が表示されるバッテリ取付部（バッテリ）を切替可能に構成する。また、バッテリ残量表示部を設けなくてもよい。
【０１１２】
また、上記第１および第２実施形態では、コンセントをバッテリボックス本体部の上面に設けた例を示したが、本発明はこれに限らない。本発明では、コンセントをバッテリボックス本体部の側面または下面に設けてもよい。
【０１１３】
また、上記第１実施形態では、天板部上にノートパソコンおよび血圧等測定器を配置して、カート用バッテリボックスから電力を供給した例を示したが、本発明はこれに限らない。本発明では、図１２に示す第１実施形態の変形例に示すように、天板部８３ａ上に予備電源（バッテリ）を持たない小型のデスクトップパソコンＤのモニターＤａおよび血圧等測定器Ｋを配置し、天板部８３ａの下側にモニターＤａに接続される本体部Ｄｂを配置して、カート用バッテリボックス１００ｄから電力を供給してもよい。なお、本体部Ｄｂは、アダプターＤｃを介してカート用バッテリボックス１００ｄのコンセント６１または６２に接続される。
【０１１４】
また、上記第１実施形態では、バッテリ取付部３に上方から下方にスライドさせることにより、バッテリ２を取付可能なように、バッテリ取付部３を、上方が開放され、上下方向にガイド部３１が延びるように配置した例を示したが、本発明はこれに限らない。本発明では、図１３に示す第１実施形態の第２変形例のカート用バッテリボックス１００ｅのように、バッテリ取付部３に後方から前方にスライドさせることにより、バッテリ２を取付可能なように、バッテリ取付部３を、後方が開放され、前後方向にガイド部３１が延びるように配置（構成）してもよい。また、図示しないが、バッテリ取付部３を、後方（上方側）が開放され、斜め方向（後方上方側から前方下方側）にガイド部３１が延びるように配置（構成）してもよい。
【符号の説明】
【０１１５】
２  バッテリ
３  バッテリ取付部
５  電力変換部
７  残量表示部
１０  上面
１１  後面（外表面）
１２  右側面（外表面）
１３  左側面（外表面）
１５  前面（外表面）
３０  接続端子
３１  ガイド部
６１  第１コンセント（コンセント）
６２  第２コンセント（コンセント）
８１  支柱部
８１ｄ  取付部
８３ａ  天板部
１００ａ、２００ａ、３００ａ  ナースカート（カート）
１００ｃ、２００ｃ、３００ｃ  カート本体部
１００ｄ、１００ｅ、２００ｄ、３００ｄ  カート用バッテリボックス
１、２０１、３０１  バッテリボックス本体部
２８１ａ  雌ネジ部（取付部）
３８０ｄ  平板部（取付部）
【図１】
2017086325.tif 000003
【図２】
2017086325.tif 000004
【図３】
2017086325.tif 000005
【図４】
2017086325.tif 000006
【図５】
2017086325.tif 000007
【図６】
2017086325.tif 000008
【図７】
2017086325.tif 000009
【図８】
2017086325.tif 000010
【図９】
2017086325.tif 000011
【図１０】
2017086325.tif 000012
【図１１】
2017086325.tif 000013
【図１２】
2017086325.tif 000014
【図１３】
2017086325.tif 000015